(57)【要約】【課題】ユーザが興味を持った情報に関連する商品の情報を複数の販売サイトから集め、同一画面上にまとめて表示することができる端末装置を提供する。【解決手段】コンテンツ情報を取得する取得部３７と、キーワードを抽出する抽出部３８と、Ｗｅｂサイトを検索して関連する情報を取得する検索部３９と、結果表示画面を生成する生成部３６とを備え、検索部３９は、抽出部３８により抽出されたキーワードと、コンテンツ情報の属するカテゴリごとに定められた追加ワードとを検索ワードとして、複数のＷｅｂサイトを検索し、生成部３６は、検索部３９により複数のＷｅｂサイトから取得された情報を、各Ｗｅｂサイトから取得された情報の少なくとも一部が関連情報表示画面５０８のいずれかの領域に含まれるよう関連情報表示画面５０８の生成を行う。【選択図】図１
2014215949.tif 000002
【特許請求の範囲】
【請求項１】
コンテンツ情報を取得する取得手段と、
前記取得手段により取得されたコンテンツ情報からキーワードを抽出する抽出手段と、
所定の検索ワードに基づいてＷｅｂサイトを検索して関連する情報を取得する検索手段と、
前記検索手段により取得された情報を表示する結果表示画面を生成する生成手段と、
を備え、
前記検索手段は、前記抽出手段により抽出されたキーワードと、該コンテンツ情報の属するカテゴリごとに定められた追加ワードとを前記検索ワードとして、複数のＷｅｂサイトを検索し、
前記生成手段は、前記検索手段により前記複数のＷｅｂサイトから取得された情報を、各Ｗｅｂサイトから取得された情報の少なくとも一部が結果表示画面のいずれかの領域に含まれるよう結果表示画面の生成を行うことを特徴とする端末装置。
【請求項２】
前記生成手段は、前記検索手段により前記複数のＷｅｂサイトから取得された情報のそれぞれに共通に含まれる単語ごとに、前記検索手段により前記複数のＷｅｂサイトから取得された情報をグループ化して、前記結果表示画面の生成を行うことを特徴とする請求項１記載の端末装置。
【請求項３】
前記検索手段は、前記追加ワードを前記Ｗｅｂサイトごとに定めることを特徴とする請求項１または２記載の端末装置。
【請求項４】
前記検索手段は、前記コンテンツ情報に関連する商品を販売するＷｅｂサイトを検索することを特徴とする請求項１ないし３のいずれか１項に記載の端末装置。
【請求項５】
コンテンツ情報を取得する取得手順と、
前記取得手順により取得されたコンテンツ情報からキーワードを抽出する抽出手順と、
所定の検索ワードに基づいてＷｅｂサイトを検索して関連する情報を取得する検索手順と、
前記検索手順により取得された情報を表示する結果表示画面を生成する生成手順と、
を前記端末装置に実行させ、
前記検索手順は、前記抽出手順により抽出されたキーワードと、該コンテンツ情報の属するカテゴリごとに定められた追加ワードとを前記検索ワードとして、複数のＷｅｂサイトを検索し、
前記生成手順は、前記検索手順により前記複数のＷｅｂサイトから取得された情報を、各Ｗｅｂサイトから取得された情報の少なくとも一部が結果表示画面のいずれかの領域に含まれるよう結果表示画面の生成を行うことを特徴とする端末装置のプログラム。
【発明の詳細な説明】
【技術分野】
【０００１】
本発明は、例えばＷｅｂサーバ等から取得したコンテンツ情報を利用できる端末装置および装置のプログラムに関する。
【背景技術】
【０００２】
従来から、ユーザが商品名やキーワードを入力することにより、同じ画面上に、ある特定の商品の情報を価格の安い順等に並べて表示する販売サイトの表示方法が知られている。
【０００３】
特許文献１には、同一の商品について他のネットショッピングサイトにおける価格表示を検索し、そのうちの最低価格を参照し、提携ネットショッピングサイトの価格を決定し、このようにして決定された価格と他のネットショッピングサイトとの価格とを比較可能にサイト上に表示する商品情報比較表示方法及びシステムが開示されている。
【０００４】
また、特許文献２には、入力欄を含む商品検索ページをユーザ端末に表示させ、ユーザ端末から送信される入力ワード情報を取得し、入力欄に対して入力される文字を特定し、想定ワードに関連付けて、予め定められた評価基準に基づいて順位付けされた各商品のそれぞれの検索に用いる検索支援ワードを記憶しているデータベースを参照し、特定した文字に適合する想定ワードから検索支援ワードを取得して、商品検索ページにおける所定領域に表示させる技術が開示されている。
【先行技術文献】
【特許文献】
【０００５】
【特許文献１】特開２００１−１４２９７２号公報
【特許文献２】特開２０１１−１３３９２６号公報
【発明の概要】
【発明が解決しようとする課題】
【０００６】
しかし、従来技術や特許文献１に開示されている技術は、各ショッピングサイトで分類されているカテゴリや、型番まで同一の商品での価格比較のみしかできないという問題があった。
【０００７】
また、特許文献２に開示されている技術は、検索する商品と同一カテゴリの商品しか検索することができず、ユーザが興味を持った情報と異なるカテゴリの商品を複数のショッピングサイトで比較することができないという問題があった。
【０００８】
本発明は、前記課題を解決するためのものであり、その目的とするところは、ユーザが興味を持った情報に関連する商品の情報を複数の販売サイトから集め、同一画面上にまとめて表示することができる端末装置を提供することにある。
【課題を解決するための手段】
【０００９】
かかる目的を達成するために、本発明は、以下の特徴を有する。
【００１０】
本発明に係る端末装置は、コンテンツ情報を取得する取得手段と、前記取得手段により取得されたコンテンツ情報からキーワードを抽出する抽出手段と、所定の検索ワードに基づいてＷｅｂサイトを検索して関連する情報を取得する検索手段と、前記検索手段により取得された情報を表示する結果表示画面を生成する生成手段と、を備え、前記検索手段は、前記抽出手段により抽出されたキーワードと、該コンテンツ情報の属するカテゴリごとに定められた追加ワードとを前記検索ワードとして、複数のＷｅｂサイトを検索し、前記生成手段は、前記検索手段により前記複数のＷｅｂサイトから取得された情報を、各Ｗｅｂサイトから取得された情報の少なくとも一部が結果表示画面のいずれかの領域に含まれるよう結果表示画面の生成を行うことを特徴とする。
【００１１】
また、本発明に係る端末装置のプログラムは、コンテンツ情報を取得する取得手順と、前記取得手順により取得されたコンテンツ情報からキーワードを抽出する抽出手順と、所定の検索ワードに基づいてＷｅｂサイトを検索して関連する情報を取得する検索手順と、前記検索手順により取得された情報を表示する結果表示画面を生成する生成手順と、を前記端末装置に実行させ、前記検索手順は、前記抽出手順により抽出されたキーワードと、該コンテンツ情報の属するカテゴリごとに定められた追加ワードとを前記検索ワードとして、複数のＷｅｂサイトを検索し、前記生成手順は、前記検索手順により前記複数のＷｅｂサイトから取得された情報を、各Ｗｅｂサイトから取得された情報の少なくとも一部が結果表示画面のいずれかの領域に含まれるよう結果表示画面の生成を行うことを特徴とする。
【発明の効果】
【００１２】
本発明によれば、ユーザが興味を持った情報に関連する商品の情報を複数の販売サイトから集め、同一画面上にまとめて表示することができる。
【図面の簡単な説明】
【００１３】
【図１】本発明の実施形態としての端末装置１００周りの構成例を示すブロック図である。
【図２】本実施形態の端末装置１００による一覧表示画面の生成動作例を示すフローチャートである。
【図３】該端末装置１００による表示画面の遷移例を示す図である。
【図４】アプリケーションの選択画面５０１の具体例を示す図である。
【図５】時間順の一覧表示画面５０２の具体例を示す図である。
【図６】カテゴリ順の一覧表示画面５０３の具体例を示す図である。
【図７】詳細表示画面５０６の具体例を示す図である。
【図８】興味設定画面５０７の具体例を示す図である。
【図９】レコメンドボタン８１３〜８１６により関連情報を表示させる動作例を示すフローチャートである。
【図１０】商品の項目ごとに商品の情報をグループ化したことを示す図である。
【図１１】時間順の一覧表示画面５０２にレコメンドボタン８１３〜８１６などを配置した例を示す図である。
【図１２】カテゴリ順の一覧表示画面５０３にレコメンドボタン８１３〜８１６などを配置した例を示す図である。
【発明を実施するための形態】
【００１４】
次に、本発明に係る端末装置および装置のプログラムを適用した一実施形態について、図面を用いて詳細に説明する。
なお、本発明に係る端末装置は、例えばＰＣ、スマートフォンなど、各種のものであってよい。
【００１５】
図１に、本実施形態の端末装置１００周りの構成例を示す。本実施形態の端末装置１００は、図１に示すように、通信部１０と、操作表示部２０と、制御部３０と、記憶部４０とを備えて構成される。
【００１６】
通信部１０は、有線又は無線により、インターネットなどのネットワークを介して、各種Ｗｅｂサーバ等に接続する。また、ＴＶ受信用アンテナおよびＴＶチューナを備え、ＴＶ番組表やＴＶ番組放送を受信する。
【００１７】
操作表示部２０は、例えばタッチパネルディスプレイなどであり、各種情報を画面表示すると共に、ユーザによる操作入力を受ける。
【００１８】
制御部３０は、端末装置１００の制御を行い、配信情報取得部３１と、カテゴリ判別部３２と、興味解析部３３と、選択部３４と、一覧用画像生成部３５と、表示画面生成部３６と、コンテンツ取得部３７と、キーワード抽出部３８と、検索部３９と、を備えて構成される。
【００１９】
配信情報取得部３１は、通信部１０によりネットワークを介して各種のＷｅｂサーバ２００に接続し、設定に応じて所定種類の配信用情報を取得する。配信情報取得部３１が取得する所定種類の配信用情報は、例えば各種フィードなど、各種のＷｅｂサーバ２００に配信用として格納された情報であり、端末装置１００により再生対象となりうるコンテンツ情報の内容を示すものである。
【００２０】
取得対象とするフィードは、例えばＲＳＳ（RDF site summary）フィードなど、ＸＭＬ（Extensible Markup Language）、Ａｔｏｍ、ＲＤＦ（Resource Description Framework）等、アグリゲータで解釈可能な各種情報を含んでよい。また、必ずしもＯＳ（Operating System）がファイル形式として認識するものである必要はなく、例えばバイナリ形式のデータを含んだものであってもよい。
【００２１】
また、各種ＳＮＳ（Social Networking Service）を再生対象のコンテンツ情報とする場合、制御部３０は、例えばＡＰＩ（Application Programming Interface）を用いることで実現できる。この場合、配信情報取得部３１は、予め設定された人についてのアクティビティや投稿記事など、各種更新情報をＡＰＩから取得する。
【００２２】
また、通信部１０がＴＶ受信用アンテナおよびＴＶチューナを備えた構成である場合、配信情報取得部３１は、ＴＶ番組表を受信する。このことにより、配信情報取得部３１は、視聴可能なＴＶ番組についての各種情報を、再生対象となりうるコンテンツ情報の内容を示す所定種類の配信用情報として取得する。
【００２３】
また、再生対象のコンテンツ情報が、例えば地域のＷｅｂちらしなど、特定の要約された種類の配信用情報が存在しない情報である場合、配信情報取得部３１は、その再生対象のコンテンツ情報そのものをＷｅｂサーバ２００等から取得する。
【００２４】
このように、本実施形態の端末装置１００で再生対象としうるコンテンツ情報は、端末装置１００の構成に応じて、再生可能な任意の種類のコンテンツ情報を含んでよい。
【００２５】
カテゴリ判別部３２は、配信情報取得部３１により取得された所定種類の配信用情報に対応して再生対象とされるコンテンツ情報が、予め定められたカテゴリ単位の何れに分類されるかを判別する。
【００２６】
カテゴリ単位は、再生対象としうる多様なコンテンツ情報をその内容に応じて分類する分類単位であり、例えばサッカーのニュース、天気予報、所定地域のちらし情報、所定のＳＮＳなどを含んでよい。
また、予め定められたカテゴリ単位の一覧を示すカテゴリ単位テーブル４１は、記憶部４０に記憶される。カテゴリ単位テーブル４１に含まれるカテゴリ単位の一覧は、初期設定として定められる構成であってもよく、ユーザ設定により登録できる構成であってもよい。
【００２７】
カテゴリ判別部３２は、例えば、配信情報取得部３１によるフィードの配信元情報により、再生対象とされるコンテンツ情報が含まれるカテゴリ単位を判別する。
また、カテゴリ判別部３２は、配信情報取得部３１により取得された所定種類の配信用情報の内容を解析することにより判別してもよい。この場合、例えば取得された所定種類の配信用情報に含まれるテキストデータに所定のキーワードが含まれるか否かで判別するなど、判別方法は各種の方法を用いることができる。
【００２８】
興味解析部３３は、再生対象とされたコンテンツ情報への操作内容に応じて、端末装置１００のユーザの興味情報を解析する。興味解析部３３による興味情報の解析では、コンテンツ情報の再生および記録に関連する操作として予め定められた操作が行われた場合に、その操作内容に応じて予め定められたポイントを、操作対象とされたコンテンツ情報に付与する。
【００２９】
例えば、Ｗｅｂブラウザ等によるコンテンツ情報の再生操作が行われた場合、再生対象のコンテンツ情報に１ポイント付与する。また、記憶部４０への保存操作が行われた場合、保存対象とされたコンテンツ情報に３ポイント付与する。また、再生されたコンテンツに対して「いいね」ボタンなどにより投稿が行われた場合、そのコンテンツ情報に５ポイント付与する。また、コンテンツに対して削除の操作が行われた場合、削除対象とされたコンテンツ情報に−１５ポイント付与する。
また、再生対象のコンテンツがＷｅｂサイトである場合、そのＷｅｂサイトを表示し続けている時間を滞在時間として所定のポイントを付与するようにしてもよい。このようにポイントを付与することにより、操作内容に応じてコンテンツ毎の重み付けを行う。
【００３０】
そして、興味解析部３３は、ポイントが付与されたコンテンツ情報が含まれるカテゴリ単位毎にポイントを合算した累積ポイントを算出する。こうして興味解析部３３は、カテゴリ単位毎の累積ポイントを比較することにより、各カテゴリ単位について、ユーザにとって興味の大きい順序を定める。
【００３１】
選択部３４は、操作表示部２０に表示する一覧画面への表示対象とするコンテンツ情報を選択する。一覧画面の表示形式は、設定に応じて各種定められてよい。選択部３４は、設定された表示形式に応じて、一覧画面における表示対象とされる所定数のコンテンツ情報を、興味解析部３３により解析された興味情報などを用いて選択する。
なお、本明細書における表示対象は、操作表示部２０に一度に表示される表示内容に加えて、画面のスクロールにより表示される部分についても、所定の表示領域まで表示対象として扱う対象に含めることとしてよい。
【００３２】
一覧用画像生成部３５は、ユーザの興味に合うコンテンツ情報の一覧を一覧画面として表示するための一覧用画像を生成する。一覧用画像は、表示対象とされた各コンテンツ情報に対応して生成され、テキストデータおよび画像などにより構成される。こうして、一覧用画像は、見た目の美しさを提供すると共に、Ｗｅｂブラウザによりリンク先のＷｅｂサイトを表示させるリンク元としても機能する。
【００３３】
一覧用画像生成部３５は、配信情報取得部３１により取得された所定種類の配信用情報を用いて、表示対象とされたコンテンツ情報に対応する一覧用画像を生成する。
また、一覧用画像生成部３５は、一覧用画像を生成するために、詳細情報や画像情報など追加で取得が必要な所定種類の他の情報が存在する場合、その所定種類の情報を追加情報として取得する。追加情報は、例えば「サッカーのニュース」のカテゴリ単位については代表する画像データを対象となるＷｅｂサーバから取得するなど、表示対象とされたコンテンツ情報の種類に応じて予め定められてもよい。また、配信情報取得部３１により取得された所定種類の配信用情報で一覧用画像を生成可能であれば、追加情報なしで一覧用画像を生成してもよい。
【００３４】
このように、一覧用画像生成部３５は、配信情報取得部３１により取得された所定種類の配信用情報を用いて、例えば画像データと、ＲＳＳフィードに含まれる要約テキストデータとを予め定められたレイアウトで配置するなどの方法により、表示対象として選択された各コンテンツ情報に対応する一覧用画像を生成する。
【００３５】
表示画面生成部３６は、一覧表示画面や詳細表示画面など、操作表示部２０に表示させる各種表示画面を生成する。一覧表示画面を生成する場合、表示画面生成部３６は、設定された一覧画面の表示形式に応じて、一覧用画像生成部３５で生成された一覧用画像を所定の画面フォーマット内に配置する。一覧用画像は、興味解析部３３で解析された興味情報に基づいて累積ポイントの高いカテゴリ単位から順に並べられ、設定された表示形式に応じて、一覧表示画面の所定の画面フォーマット内に配置される。
なお、本明細書における表示画面は、操作表示部２０に一度に表示される表示内容に加えて、画面のスクロールにより表示される部分についても、所定の表示領域まで表示画面として扱う対象に含めることとしてよい。
【００３６】
また、表示画面生成部３６は、詳細表示画面を生成する場合、コンテンツ取得部３７により取得されたコンテンツ情報を、所定の画面フォーマット内に配置する。
【００３７】
コンテンツ取得部３７は、選択部３４により一覧画面への表示対象として選択されたコンテンツ情報の全体を、所定のＷｅｂサイト等の配信元から取得する。また、設定に応じて、詳細表示画面を表示させるコンテンツ情報の全体を取得するようにしてもよい。
【００３８】
例えばコンテンツ情報の種類がＷｅｂページである場合、コンテンツ取得部３７は、Ｗｅｂページに含まれる全ての画像データやＸＭＬデータなどのデータ全体を取得する。
また、コンテンツ情報の種類がＴＶ番組である場合、コンテンツ取得部３７は、通信部１０のＴＶチューナから、ＴＶ放送の映像および音声データ等を取得する。
また、例えばコンテンツ情報の種類がＷｅｂちらしである場合など、コンテンツ情報とは別な所定種類の配信用情報が用意されておらず、コンテンツ情報そのものが配信情報取得部３１によりすでに取得されている場合、コンテンツ取得部３７は、取得済みのコンテンツ情報をその配信情報取得部３１から取得する。
【００３９】
キーワード抽出部３８は、コンテンツ情報からテキストデータを抽出し、そのテキストデータから、所定のアルゴリズムにより所定種類の名詞等を検索用のキーワードとして抽出する。
【００４０】
検索部３９は、キーワード抽出部３８により抽出されたキーワードと、操作表示部２０で入力された関連性とに基づいて、ＷｅｂサイトやＴＶ番組表等の検索を行う。
【００４１】
次に、本実施形態の端末装置１００による一覧表示画面を生成する動作例について、図２のフローチャートおよび図３〜図８の画面遷移例を用いて説明する。
【００４２】
本実施形態の端末装置１００では、コンテンツ情報の再生および記録に関連する操作として予め定められた操作が行われると（ステップＳ１）、興味解析部３３が上述のように操作対象とされたコンテンツ情報に対するポイント付与を行う。そして、その付与されたポイントを興味解析部３３が上述のようにカテゴリ単位毎に合算することにより、各カテゴリ単位についての興味情報の解析を行う（ステップＳ２）。
【００４３】
こうした本実施形態の端末装置１００でユーザが各種操作を行うための表示画面の遷移例を図３に示す。
【００４４】
端末装置１００の操作表示部２０には、まずＯＳにより構成されるアプリケーションの選択画面５０１が表示される。このアプリケーションの選択画面５０１では、例えば図４に示すように、起動可能なアプリケーションを示すアイコン群６０１が表示される。そのアイコン群６０１の中には、本実施形態の一覧表示画面を実現するアプリケーションのアイコンも含まれることとする。図４では、本アプリケーションのロゴマーク６０２が含まれたアイコンとして示す。
【００４５】
アプリケーションの選択画面５０１で、本実施形態の機能を実現するアプリケーションのアイコンがクリックされると、図３に示すように、設定に応じて、時間順またはカテゴリ順で構成されたコンテンツ情報の一覧表示画面が表示される。
【００４６】
時間順の一覧表示画面５０２では、例えば図５に示すように、表示モード設定７００として「時間順で表示」と表示され、更新からの経過時間範囲を示す表示単位７０１毎に、所定数の一覧用画像群７０２が表示される。図５の例では、表示単位７０１として、更新から５分以内の範囲を示す「５分前」、更新から５分より長く、３０分以内の範囲を示す「３０分前」、の順に配置される。また、それぞれの経過時間範囲である表示単位７０１に対して、８つずつの一覧用画像が一覧用画像群７０２として配置され、時間順表示画面５０２が構成される。
【００４７】
カテゴリ順の一覧表示画面５０３では、例えば図６に示すように、表示モード設定７００として「カテゴリ順で表示」と表示され、表示対象とする表示カテゴリを示す表示単位７０１毎に、所定数の一覧用画像群７０２が表示される。図６の例では、表示単位７０１として、ユーザにとって興味のあるカテゴリとされた順に「サッカー」、「コンピュータ」が配置されている。また、それぞれの表示単位７０１である表示カテゴリに対して、８つずつの一覧用画像が一覧用画像群７０２として配置され、カテゴリ順表示画面５０３が構成される。
【００４８】
なお、表示単位７０１とされる表示カテゴリは、カテゴリ判別部３２で判別されるカテゴリ単位と同一であってもよく、複数のカテゴリ単位をまとめたものであってもよい。例えば、「国内ニュース」の表示カテゴリが、「サッカーのニュース」「政治のニュース」などの所定のカテゴリ単位をまとめたものとして構成されてもよい。
【００４９】
また、時間順の一覧表示画面５０２で、更新からの経過時間範囲を示す表示単位７０１をクリックすると、図３に示すように、その表示単位７０１の経過時間範囲に更新されたコンテンツ情報に対応する一覧用画像が並べられた時間帯内一覧表示画面５０４が表示される。
【００５０】
また、カテゴリ順の一覧表示画面５０３で、表示カテゴリを示す表示単位７０１をクリックすると、図３に示すように、その表示単位７０１の表示カテゴリに分類されるコンテンツ情報に対応する一覧用画像が並べられたカテゴリ内一覧表示画面５０５が表示される。
【００５１】
また、上述のような時間順一覧表示画面５０２、カテゴリ順一覧表示画面５０３、時間帯内一覧表示画面５０４、カテゴリ内一覧表示画面５０５のそれぞれで表示された一覧用画像群７０２のいずれかの一覧用画像をクリックすると、図３に示すように、クリックされた一覧用画像に対応するコンテンツ情報の詳細表示画面５０６が表示される。
詳細表示画面５０６は、コンテンツ取得部３７により取得されたコンテンツ情報を、表示画面生成部３６が再生して内容を所定形式に配置し、詳細表示画面５０６として生成することで、操作表示部２０に表示される。
【００５２】
詳細表示画面５０６では、クリックされた一覧用画像に対応するコンテンツ情報が例えばニュース記事である場合、図７に示すように、記事のタイトル８００と、代表画像８０１と、他の画像群８０２と、記事本文８０３とが画面中央部に表示される。図７の例では、他の画像群８０２として表示される何れかの画像がクリックされると、その画像が代表画像８０１として大きく表示される。
【００５３】
また、図７の例では、画面下部に保存ボタン８１１と、発信ボタン群８１２と、レコメンドボタン８１３〜８１６とが表示される。
【００５４】
保存ボタン８１１は、表示されているコンテンツ情報を端末装置１００の記憶部４０に記憶させる操作入力を行うための操作入力部である。
【００５５】
発信ボタン群８１２は、例えば「いいね」、「コメント」、「ツィート」など、表示されているコンテンツ情報に対してユーザから発信を行う操作入力を行うための操作入力部である。
【００５６】
レコメンドボタン８１３〜８１６は、表示されているコンテンツ情報に対して、用意された関連性を有するコンテンツ情報の一覧を表示させる操作入力を行うための操作入力部である。このため、レコメンドボタン８１３〜８１６は、用意された複数の関連性の中から、操作入力する１つの関連性をユーザが選択入力するための選択入力部として機能する。
【００５７】
本実施形態では、レコメンドボタンの例として、行きたいボタン８１３と、見たいボタン８１４と、知りたいボタン８１５と、買いたいボタン８１６とが用意される。そして、この４つの関連性を示すボタンの何れかがクリックされると、クリックされた関連性を有するコンテンツ情報の一覧を示す関連情報表示画面５０８が表示される。
【００５８】
行きたいボタン８１３は、表示されているコンテンツ情報に対して、場所を示す情報としての関連性を有するコンテンツ情報の一覧を示す関連情報表示画面５０８を表示させる。
【００５９】
見たいボタン８１４は、表示されているコンテンツ情報に対して、再生可能な動画情報としての関連性を有するコンテンツ情報の一覧を示す関連情報表示画面５０８を表示させる。
【００６０】
知りたいボタン８１５は、表示されているコンテンツ情報に対して、所定種類の名詞の意味を示す情報としての関連性を有するコンテンツ情報の一覧を示す関連情報表示画面５０８を表示させる。
【００６１】
買いたいボタン８１６は、表示されているコンテンツ情報に対して、商品を販売するＷｅｂサイトとしての関連性を有するコンテンツ情報の一覧を示す関連情報表示画面５０８を表示させる。
【００６２】
また、詳細表示画面５０６では、クリックされた一覧用画像に対応するコンテンツ情報の種類に応じて、その種類のコンテンツ情報を再生するものとして予め定められたアプリケーションやプラグインにより、コンテンツ取得部３７で取得されたコンテンツ情報の再生を行う。そして、コンテンツ情報の種類に応じて予め定められた操作入力部が表示される。
【００６３】
例えばコンテンツ情報の種類がＴＶ番組である場合、この詳細表示画面５０６でＴＶ番組を視聴できると共に、ＴＶ番組の録画操作、タイマー録画設定等の各種操作を行うための操作入力部が表示される。
【００６４】
また、例えばコンテンツ情報の種類が各種のＳＮＳである場合、この詳細表示画面５０６では、選択された人についてのＳＮＳでの投稿記事が投稿時間の新しい順に表示され、各投稿記事へのコメント、画像の装置内への記録等の各種操作を行うための操作入力部が表示される。
【００６５】
また、上述のような時間順一覧表示画面５０２、カテゴリ順一覧表示画面５０３、時間帯内一覧表示画面５０４、カテゴリ内一覧表示画面５０５、詳細表示画面５０６の何れかから、設定画面を起動させることにより、図３に示すように、興味設定画面５０７が表示される。
【００６６】
興味設定画面５０７では、例えば図８に示すように、カテゴリ単位を大きくまとめた大分類９０１毎に、表示カテゴリ群９０２が関連付けられて表示される。表示カテゴリ群９０２では、その大分類９０１に分類される表示カテゴリがまとめて表示される。また、各表示カテゴリについて、興味解析部３３で解析された興味情報により、興味が大きくあるとされた順に色分けされて表示される。図８では、１０段階の色分けで「よく見ている」から「あまり見ていない」まで段階分けして表示した場合の例を示す。
【００６７】
こうした興味設定画面５０７により、ユーザは興味解析部３３で解析された興味情報が、各表示カテゴリについてどのようになっているかを確認することができる。また、不図示の設定ボタン等により、特定の表示カテゴリに分類されるコンテンツ情報だけを、上述した各一覧表示画面における一覧用画像群７０２に表示させないように設定できるようにしてもよい。
【００６８】
以上のような画面遷移により、ユーザが各種コンテンツ情報の再生および記録に関連する各種操作を行うと、図２ステップＳ２で上述のようにして、興味解析部３３がコンテンツ情報に対するポイント付与を行い、カテゴリ単位毎に興味情報の解析を行う。
【００６９】
選択部３４は、興味解析部３３により解析された各カテゴリ単位についての累積ポイントに基づいて、累積ポイントの大きいカテゴリ単位から順にユーザにとって興味が大きいカテゴリ単位として、表示順序を設定する（ステップＳ３）。
【００７０】
ここで、上述したアプリケーション選択画面５０１で本実施形態の機能を実現するアプリケーションのアイコンがクリックされることで表示される初期の一覧表示画面が、時間順の一覧表示画面５０２として設定されているか、カテゴリ順の一覧表示画面５０３として設定されているかを、選択部３４は確認する。
【００７１】
初期の一覧表示画面が時間順の一覧表示画面５０２として設定されている場合、選択部３４は、上述した表示単位７０１となる更新からの各経過時間範囲について、累積ポイントの大きいカテゴリ単位から順に、そのカテゴリ単位に含まれるコンテンツ情報を表示対象とするよう、そのカテゴリ単位に含まれるコンテンツ情報を所定数まで抽出する（ステップＳ４）。
【００７２】
各表示単位７０１に対して、表示対象として一覧用画像群７０２に含める一覧用画像の数は、上述のように、表示形式により予め定められている。このため、選択部３４は、ステップＳ４の抽出として、各表示単位７０１に対して、表示対象とするコンテンツ情報をその一覧用画像の数だけ抽出する。
このため、配信情報取得部３１により取得された所定種類の配信用情報の内、更新からの経過時間範囲が所定の範囲内であるものについて、累積ポイントの大きいカテゴリ単位に含まれるものから順に、そのカテゴリ単位に含まれるコンテンツ情報を表示対象として抽出する。
【００７３】
コンテンツ情報を各カテゴリ単位についていくつずつ抽出するかは、設定等に応じて適宜定められることとしてよい。あるいは、各カテゴリ単位についていくつずつ抽出するかを、各カテゴリ単位の累積ポイントに応じて所定の方法で算出するようにしてもよい。また、各カテゴリ単位について、そのカテゴリ単位に含まれる各コンテンツ情報の一覧用画像の表示順序は、所定の方法で算出するなど、各種方法で定めてよい。
【００７４】
初期画面がカテゴリ順の一覧表示画面５０３として設定されている場合、選択部３４は、累積ポイントの大きい表示カテゴリから順に、上位所定数の表示カテゴリについて、その表示カテゴリに分類されるカテゴリ単位に含まれるコンテンツ情報を表示対象とするよう、所定数まで抽出する（ステップＳ５）。
【００７５】
各表示単位７０１に対して、表示対象として一覧用画像群７０２に含める一覧用画像の数は、上述のように、表示形式により予め定められている。このため、選択部３４は、ステップＳ５の抽出として、各表示単位７０１に対して、表示対象とするコンテンツ情報をその一覧用画像の数だけ抽出する。
このため、配信情報取得部３１により取得された所定種類の配信用情報の内、累積ポイントの大きさが上位所定数の表示カテゴリについて、累積ポイントの大きいカテゴリ単位に含まれるものから順に、そのカテゴリ単位に含まれるコンテンツ情報を表示対象として抽出する。
【００７６】
コンテンツ情報を各カテゴリ単位についていくつずつ抽出するかは、設定等に応じて適宜定められることとしてよい。あるいは、各カテゴリ単位についていくつずつ抽出するかを、各カテゴリ単位の累積ポイントに応じて所定の方法で算出するようにしてもよい。また、各カテゴリ単位について、そのカテゴリ単位に含まれる各コンテンツ情報の一覧用画像の表示順序は、所定の方法で算出するなど、各種方法で定めてよい。
【００７７】
こうして表示対象とするコンテンツ情報が選択部３４により抽出されると、一覧用画像生成部３５は、抽出された表示対象のコンテンツ情報に対応する一覧用画像を生成する。一覧用画像を生成するために必要な情報は、例えば代表画像と所定長さ範囲内の要約文など、コンテンツ情報に応じて予め定められていることとする。
このため、一覧用画像生成部３５は、抽出された表示対象の各コンテンツ情報について、そのコンテンツ情報について配信情報取得部３１で取得された所定種類の配信用情報で一覧用画像を生成するために必要な情報が十分であるか、不足しているかを確認する。不足している場合、一覧用画像生成部３５は、例えば代表画像のデータなど、その不足している詳細情報を追加情報として、配信元のＷｅｂサーバ等から取得する（ステップＳ６）。
【００７８】
表示対象の各コンテンツ情報について、一覧用画像を生成するために必要な情報が揃うと、一覧用画像生成部３５は、それら情報を用いて各コンテンツ情報についての一覧用画像を生成する（ステップＳ７）。
【００７９】
表示画面生成部３６は、一覧用画像生成部３５により生成された一覧用画像を、設定された表示形式の一覧表示画面における所定位置に配置し、一覧表示画面を生成する（ステップＳ８）。
【００８０】
次に、詳細表示画面５０６に詳細表示されたコンテンツ情報に対して、４種類のレコメンドボタン８１３〜８１６により、クリックされたボタンに対応した関連性を有する関連情報を表示させる動作について、図９のフローチャートを参照して説明する。
【００８１】
まず、キーワード抽出部３８は、解析対象となるコンテンツ情報からテキストデータを抽出する（ステップＳ１１）。
解析対象のコンテンツ情報は、例えばコンテンツ取得部３７により取得されたコンテンツ情報の全体により詳細表示画面５０６が表示された時点で、その詳細表示されたコンテンツ情報を解析対象としてもよい。あるいは、一覧表示画面５０２〜５０５の何れかが表示された時点で、その一覧表示画面に含まれる各一覧用画像に対応する各コンテンツ情報をコンテンツ取得部３７が取得し、これらコンテンツ情報のそれぞれを解析対象としてもよい。
【００８２】
解析対象のコンテンツ情報に対して、行きたいボタン８１３による場所を示す情報としての関連性を有するコンテンツ情報の一覧を検索する場合、キーワード抽出部３８は、ステップＳ１１で抽出したテキストデータから、場所情報に関するキーワードを抽出する（ステップＳ１２）。場所情報に関するキーワードの識別方法は、予め用意された用語のデータベースを用いるなど、各種アルゴリズムを用いてよい。
【００８３】
そしてキーワード抽出部３８は、抽出した場所情報に関するキーワードに加え、場所情報や、その場所へ行くための交通アクセス情報に関するＷｅｂページを検索ヒットさせるための所定のキーワードを追加する。検索部３９は、これらのキーワードにより所定の検索サイトでＷｅｂ検索を行う（ステップＳ１３）。
なお、追加する所定のキーワードは、例えば「交通 or アクセス」など、予め定めて記憶部４０に記憶させておくなどの方法により、各種のキーワードを用いてよい。
【００８４】
また、解析対象のコンテンツ情報に対して、見たいボタン８１４による再生可能な動画情報としての関連性を有するコンテンツ情報の一覧を検索する場合、キーワード抽出部３８は、ステップＳ１１で抽出したテキストデータから、番組名や固有名詞等の所定種類の名詞をキーワードとして抽出する（ステップＳ１４）。キーワードとする番組名や固有名詞等の所定種類の名詞の識別方法は、予め用意された用語のデータベースを用いるなど、各種アルゴリズムを用いてよい。
【００８５】
そしてキーワード抽出部３８は、抽出したキーワードに加え、動画を配信する動画サイトやＴＶ番組の番組一覧に関するＷｅｂページを検索ヒットさせるための所定のキーワードを追加する。検索部３９は、これらのキーワードにより所定の検索サイトでＷｅｂ検索を行う。さらに、通信部１０のＴＶチューナから取得したＴＶ番組表を、ステップＳ１４で抽出したキーワードにより検索し、ＴＶ番組の検索を行う（ステップＳ１５）。
なお、追加する所定のキーワードは、例えば所定の動画サイトのサイト名称を予め記憶部４０に記憶させておくなどの方法により、各種のキーワードを用いてよい。
【００８６】
また、解析対象のコンテンツ情報に対して、知りたいボタン８１５による所定種類の名詞の意味を示す情報としての関連性を有するコンテンツ情報の一覧を検索する場合、キーワード抽出部３８は、ステップＳ１１で抽出したテキストデータから、用語や固有名詞等の所定種類の名詞をキーワードとして抽出する（ステップＳ１６）。キーワードとする用語や固有名詞等の所定種類の名詞の識別方法は、予め用意された用語のデータベースを用いるなど、各種アルゴリズムを用いてよい。
【００８７】
そしてキーワード抽出部３８は、抽出したキーワードに加え、用語解説など用語の意味に関するＷｅｂページを検索ヒットさせるための所定のキーワードを追加する。検索部３９は、これらのキーワードにより所定の検索サイトでＷｅｂ検索を行う（ステップＳ１７）。
なお、追加する所定のキーワードは、例えば所定の用語解説サイト、質問への回答サイトのサイト名称を予め記憶部４０に記憶させておくなどの方法により、各種のキーワードを用いてよい。
【００８８】
また、解析対象のコンテンツ情報に対して、買いたいボタン８１６による商品を販売するＷｅｂサイトとしての関連性を有するコンテンツ情報の一覧を検索する場合、キーワード抽出部３８は、ステップＳ１１で抽出したテキストデータから、商品名や固有名詞等の所定種類の名詞をキーワードとして抽出する（ステップＳ１８）。キーワードとする商品名や固有名詞等の所定種類の名詞の識別方法は、予め用意された用語のデータベースを用いるなど、各種アルゴリズムを用いてよい。
【００８９】
そしてキーワード抽出部３８は、抽出したキーワードに加え、販売サイトにおける関連商品の購入ページを検索ヒットさせるための所定のキーワードを追加する。検索部３９は、これらのキーワードにより所定の検索サイトでＷｅｂ検索を行う（ステップＳ１９）。
なお、追加する所定のキーワードは、例えば所定の販売サイトのサイト名称や、商品カテゴリに応じて定められたキーワードを予め記憶部４０に記憶させておくなどの方法により、各種のキーワードを用いてよい。また、上記の商品カテゴリに応じて定められるキーワードとは、例えばステップＳ１１で抽出したテキストデータに「サッカー」「試合」が含まれる場合、関連商品名を示す「ユニフォーム」「メガホン」、「ボール」などであり、予め定めておくことで各種用語を設定することができる。
【００９０】
検索部３９は、キーワード抽出部３８により抽出されたキーワードと、コンテンツ情報の属するカテゴリごとに定められた追加ワードとを検索ワードとして、複数の販売サイトを検索する。また、表示画面生成部３６は、検索部３９により複数の販売サイトから取得された情報を、各販売サイトから取得された情報の少なくとも一部が関連情報表示画面５０８のいずれかの領域に含まれるよう関連情報表示画面５０８の生成を行う。
【００９１】
なお、ステップＳ１１でのテキストデータの抽出や、そのテキストデータからのキーワードの抽出では、解析対象となるコンテンツ情報に含まれる全てのテキストデータを一様に抽出結果として用いてもよく、テキストデータが含まれる場所に応じて重み付けをして用いてもよい。
重み付けをする場合、例えば記事のタイトル部分に含まれるテキストデータを重要度の高いものとして扱い、本文など他の部分に含まれるテキストデータを重要度の低いものとして扱うなど、予め定められた各種のアルゴリズムを用いてよい。また、記事のタイトル部分に含まれるテキストデータだけをステップＳ１１で抽出することとしてもよい。
【００９２】
こうして、表示された４種類のレコメンドボタン８１３〜８１６の内、ユーザにより選択入力されたボタンに対応した関連性を有する関連情報が検索部３９により検索されると、表示画面生成部３６は、検索結果の一覧を所定形式に配置し、関連情報表示画面５０８を生成し、操作表示部２０に表示させる（ステップＳ２０）。
【００９３】
以上のように、上述した本実施形態の端末装置１００では、詳細表示画面５０６に４種類のレコメンドボタン８１３〜８１６が表示される。そして、ユーザはこのレコメンドボタン８１３〜８１６の何れかを選択してクリックすることにより、選択入力したボタンの関連性を有する関連情報の一覧をワンクリックで表示させることができる。
【００９４】
ここで、同じ画面上に、ある特定の商品の情報を並べて表示する販売サイトは、従来からよく知られているが、「関連する商品」に関して、各社のサイトが比較できるようになっていなかった。従来の販売サイトでは、各販売サイト自身で分類されているカテゴリや、型番まで同一の商品での価格比較のみしかできなかった。
【００９５】
本実施形態の場合、ユーザが興味を持った情報に関連する商品のような従来にないカテゴリでの比較をも行うことができる。ユーザが興味を持った情報に「関連する商品」とは、例えば、ユーザがサッカーの試合に興味がある場合、ユニフォームや応援グッズであり、ユーザが海外旅行に興味がある場合、海外旅行に便利なグッズ等である。
【００９６】
ユーザが興味を持った情報に関連するショッピング情報を複数の販売サイトから集め、関連情報表示画面５０８を生成し、操作表示部２０にまとめて表示する。例えば、シェアの高い大手３社（Ａ社、Ｂ社、Ｃ社）の販売サイトで販売するユーザが興味を持った情報に「関連する商品」を表示し、値段や品質等を比較することができる。
【００９７】
追加するキーワードは、大手３社の販売サイトのサイト名称であり、予め記憶部４０に記憶させておく。また、商品カテゴリに応じて定められるキーワードは、例えばステップＳ１１で抽出したテキストデータに「サッカー」「試合」が含まれる場合、関連商品名を示す「ユニフォーム」や「応援グッズ」などであり、予め記憶部４０に記憶させておく。
なお、販売サイトは、シェアの高い大手３社（Ａ社、Ｂ社、Ｃ社）に限られず、他の会社の販売サイトを含めても良い。
【００９８】
また、商品の項目ごとに商品の情報をグループ化し、関連情報表示画面５０８の生成を行うことができる。例えば、キーワード抽出部３８でコンテンツ情報から抽出したテキストデータから、商品名や固有名詞等の所定種類の名詞をキーワードとして抽出し、「サッカー」「試合」が含まれる場合、関連商品名を示す「ユニフォーム」や「メガホン」、「ボール」などの情報をグループ化し、大手３社の販売サイトに掲載された商品の情報を比較できる。
【００９９】
表示画面生成部３６は、検索部３９により複数の販売サイトから取得された情報のそれぞれに共通に含まれる単語ごとに、検索部３９により複数の販売サイトから取得された情報をグループ化して、関連情報表示画面５０８の生成を行う。また、検索部３９は、追加ワードを販売サイトごとに定め、コンテンツ情報に関連する商品を販売する販売サイトを検索する。
【０１００】
図１０は、商品の項目ごとに商品の情報をグループ化したことを示す図である。「メガホン」と「ボール」の項目ごとに、それぞれ大手３社の販売サイトの商品が複数表示される。１つの商品を選択すると詳細が表示される。
【０１０１】
従来、特にコンピュータの初心者にとっては、単にコンテンツ情報を表示させても、そこからコンピュータの可能性をどのように活用してよいかがすぐにピンと来ず、忙しい日常の中で、日常に必要な最低限の用途にしか利用しないことがあった。このため、多様な種類のＷｅｂコンテンツの活用やＴＶ番組の視聴など、近年の多機能化した端末装置の機能も十分に活用されず、結果として魅力の薄い商品と捉えられてしまうおそれがあった。
【０１０２】
これに対し、上述した実施形態によれば、詳細表示画面５０６に表示されたコンテンツ情報に対して、予め関連性を設定した４種類のレコメンドボタン８１３〜８１６を表示させておくことにより、ユーザは関連情報をワンクリックで得ることができる。
【０１０３】
また、「行きたい」「見たい」「知りたい」「買いたい」の４種類の関連性がレコメンドボタン８１３〜８１６として表示されていることにより、「こういう関連情報がワンクリックで得られる」ということをユーザに提示することができる。
このため、その関連性を有する関連情報がワンクリックですぐに見れるなら見たいな、という意欲をユーザに喚起させることができる。
【０１０４】
このため、自分の見たいコンテンツ情報を見る際に、興味の対象となりうる関連情報も、提示されたボタンによりワンクリックで簡単に得ることができ、もっと日常的に身近に使っていたいとユーザに思わせることができる。
【０１０５】
なお、上述した各実施形態は本発明の好適な実施形態であり、本発明はこれに限定されることなく、本発明の技術的思想に基づいて種々変形して実施することが可能である。
【０１０６】
例えば、上述した図９のステップＳ１１〜Ｓ１９に示す一連の動作は、詳細表示画面５０６が表示された時点で行うこととしてもよく、設定等に応じた他のタイミングで行われてもよい。
例えば、一覧表示画面５０２〜５０５の何れかが表示された時点で、その一覧表示画面に含まれる各一覧用画像に対応する各コンテンツ情報をコンテンツ取得部３７が取得し、キーワード抽出部３８、検索部３９が図９ステップＳ１１〜Ｓ１９の動作を開始する構成としてもよい。
【０１０７】
この構成によれば、一覧表示画面から一覧用画像がクリックされた際にも、コンテンツ取得部３７によるコンテンツ情報の取得時間だけユーザを待たせることなく、詳細表示画面５０６を高速に表示させることができる。さらに、詳細表示画面５０６が表示されてすぐにレコメンドボタン８１３〜８１６の何れかが選択入力された場合であっても、抽出や検索の時間だけユーザを待たせることなく、選択入力された関連性を有する関連情報を高速に表示させることができる。
また、一覧表示画面５０２〜５０５の何れかが表示された後、ユーザが端末装置１００をネットワークから切り離して持ち運んだ場合であっても、クリックされた一覧用画像に対応するコンテンツ情報を詳細表示画面５０６で表示させたり、その詳細表示画面５０６からレコメンドボタン８１３〜８１６で選択入力された関連性を有する関連情報を表示させることができる。
このため、ユーザにとっての利便性をさらに向上させることができる。
【０１０８】
また、上述した一覧表示画面の表示形式や、具体的な表示画面例は一例であり、本発明はこれに限定されない。ユーザの興味の大きさに応じて一覧用画像を一覧表示できれば、表示形式や表示画面の構成は設定等に応じて各種のものであってよい。例えば、一覧表示画面における各表示単位７０１に対して配置される一覧用画像群７０２に、一覧用画像をいくつずつ含めるかなどの表示個数は、設定等に応じて任意に定めることとしてよい。
【０１０９】
また、上述した実施形態では、レコメンドボタン８１３〜８１６が詳細表示画面５０６の下部に表示されることとして説明したが、各種の一覧表示画面５０２〜５０５にも表示される構成であってもよい。時間順の一覧表示画面５０２にレコメンドボタン８１３〜８１６などを配置した表示例を図１１に、カテゴリ順の一覧表示画面５０３にレコメンドボタン８１３〜８１６などを配置した表示例を図１２に、それぞれ示す。
【０１１０】
図１１、図１２の例では、レコメンドボタン８１３〜８１６に加え、再読込、設定、検索などの各種操作ボタン８１７が表示された画面例を示す。
再読込ボタンは、配信情報取得部３１による所定種類の配信用情報の取得から一覧表示画面を生成する動作を再度行わせるものである。
設定ボタンは、興味設定画面５０７などの各種設定画面に移行するためのものである。
検索ボタンは、Ｗｅｂ検索画面を表示させるためのものである。
【０１１１】
このように、一覧表示画面５０２〜５０５にレコメンドボタン８１３〜８１６を配置する場合、上述のように、一覧表示画面５０２〜５０５の何れかが表示された時点で、その一覧表示画面に含まれる各一覧用画像に対応する各コンテンツ情報をコンテンツ取得部３７が取得する構成であることが好ましい。
このことにより、キーワード抽出部３８、検索部３９による図９ステップＳ１１〜Ｓ１９の動作も、より早い段階から開始させることができる。すなわち、例えば一覧表示画面５０２〜５０５の何れかが表示され、その一覧表示画面に含まれる各一覧用画像に対応する各コンテンツ情報をコンテンツ取得部３７が取得した時点で、キーワード抽出部３８、検索部３９が図９ステップＳ１１〜Ｓ１９の動作を開始する構成としてもよい。
【０１１２】
この構成によれば、一覧表示画面から一覧用画像がクリックされ、詳細表示画面５０６が表示されてすぐにレコメンドボタン８１３〜８１６の何れかが選択入力された場合であっても、抽出や検索の時間だけユーザを待たせることなく、選択入力された関連性を有する関連情報を高速に表示させることができる。
また、一覧表示画面５０２〜５０５の何れかが表示された後、ユーザが端末装置１００をネットワークから切り離して持ち運んだ場合であっても、クリックされた一覧用画像に対応するコンテンツ情報を詳細表示画面５０６で表示させ、さらにその詳細表示画面５０６からレコメンドボタン８１３〜８１６で選択入力された関連性を有する関連情報も表示させることができる。
【０１１３】
また、上述した一覧表示画面５０２〜５０５では、ユーザにとって興味のある順にコンテンツ情報の一覧用画像が表示され、興味の大きさが所定順位より小さいカテゴリ単位のコンテンツ情報を表示対象から外すようになっている。
このため、上述のように一覧表示画面に含まれる各一覧用画像に対応する各コンテンツ情報をコンテンツ取得部３７が取得する構成としても、ユーザにとって興味が大きいと興味解析部３３で解析されたコンテンツ情報をコンテンツ取得部３７で取得するため、通信部１０による不要な情報取得を減らすことができる。このため、コンテンツ取得部３７による取得動作や、キーワード抽出部３８、検索部３９による図９ステップＳ１１〜Ｓ１９の動作も、不要な動作の少ない、より高速な動作とすることができる。このため、より高速な動作や画面切替が可能となり、ユーザにとっての利便性をさらに向上させることができる。
【０１１４】
また、上述した実施形態の端末装置１００では、ユーザは特に設定操作する必要もなく、ユーザ自身が見たいコンテンツを再生するなど、ユーザ自身にとってやりたい操作をただしているだけで、使用の度に興味解析部３３による興味情報が蓄積されていく。
このため、使い込むに従ってユーザの興味をより正確に反映させることができ、ユーザにとっての利便性をさらに向上させることができる。
【０１１５】
また、興味解析部３３による興味情報の解析方法は、上述のようにコンテンツ情報への操作内容に応じてポイントを付与する方法に限定されず、コンテンツに対するユーザの興味の大きさを解析可能であれば任意の方法を用いてよい。
【０１１６】
また、上述した実施形態の端末装置１００に対する操作入力の方法は、クリックに限定されず、例えばタッチパネルを指などでタッチする、方向キーでカーソルを移動させてＥＮＴＥＲキーをキー入力するなど、設定に応じて各種の操作入力方法を用いてよい。上述した本発明は、こうした操作入力方法によらず、同様に実現することができる。
【０１１７】
また、上述した実施形態の各機能部は、上述した機能を実現可能であれば実現する構成は任意であってよく、例えば記録媒体に記録されたプログラムの処理手順を１つのＣＰＵが実行することで実現されてもよく、複数の機能モジュールにより実現されてもよい。
【０１１８】
また、上述した実施形態としての端末装置１００を実現するための処理手順をプログラムとして記録媒体に記録することにより、本発明の実施形態による上述した各機能を、その記録媒体から供給されるプログラムによって、システムを構成するコンピュータのＣＰＵに処理を行わせて実現させることができる。
この場合、上記の記録媒体により、あるいはネットワークを介して外部の記録媒体から、プログラムを含む情報群を出力装置に供給される場合でも本発明は適用されるものである。
すなわち、記録媒体から読み出されたプログラムコード自体が本発明の新規な機能を実現することになり、そのプログラムコードを記憶した記録媒体および該記録媒体から読み出された信号は本発明を構成することになる。
この記録媒体としては、例えばハードディスク、光ディスク、光磁気ディスク、フロッピー（登録商標）ディスク、磁気テープ、不揮発性のメモリーカード、ＲＯＭ等を用いてよい。
【０１１９】
この本発明に係るプログラムによれば、当該プログラムによって制御されるコンピュータに、上述した実施形態における各機能を実現させることができる。
【符号の説明】
【０１２０】
１００    端末装置
２００    Ｗｅｂサーバ
１０    通信部
２０    操作表示部
３０    制御部
３１    配信情報取得部
３２    カテゴリ判別部
３３    興味解析部
３４    選択部
３５    一覧用画像生成部
３６    表示画面生成部
３７    コンテンツ取得部（取得手段の一例）
３８    キーワード抽出部
３９    検索部
４０    記憶部
４１    カテゴリ単位テーブル
５０６    詳細表示画面
５０８    関連情報表示画面
６０１    アイコン群
６０２    ロゴマーク
７００    表示モード設定
７０１    表示単位
７０２    一覧用画像群
８１１    保存ボタン
８１２    発信ボタン群
８１３    行きたいボタン（選択入力部としてのレコメンドボタンの一例）
８１４    見たいボタン（選択入力部としてのレコメンドボタンの一例）
８１５    知りたいボタン（選択入力部としてのレコメンドボタンの一例）
８１６    買いたいボタン（選択入力部としてのレコメンドボタンの一例）
【図１】
2014215949.tif 000003
【図２】
2014215949.tif 000004
【図３】
2014215949.tif 000005
【図４】
2014215949.tif 000006
【図５】
2014215949.tif 000007
【図６】
2014215949.tif 000008
【図７】
2014215949.tif 000009
【図８】
2014215949.tif 000010
【図９】
2014215949.tif 000011
【図１０】
2014215949.tif 000012
【図１１】
2014215949.tif 000013
【図１２】
2014215949.tif 000014